(57)【要約】取付部２ｄ、２ｅを有し傾斜部２ｈ、２ｉをそれぞれ形成した第１取付脚２ｂと第２取付脚２ｃとを、中央に螺合孔２ｋを穿設した平坦部２ａに連接した基礎部材２と、中央にＶ字溝３ｋを形成するとともに前記Ｖ字溝３ｋにＬ字型溝３ｄを連設した連結部３ａの一端に第１挟着部３ｂを連設するとともに他端には第２挟着部３ｃを連設した上挟着部材３と、この上挟着部材３と同形同大の下挟着部材４と、一端に筒状の頭部５ａを設けた螺合軸５ｂの前記頭部５ａに、両端に球体状のストッパー５ｄを設けたハンドル５ｃを前記頭部５ａの挿通孔５ｆに緩挿させた締結部５とからなり、前記基礎部材２に前記上挟着部材３及び下挟着部材４を連結する際には、対向する前記挟着部と前記取付部の間にコイルバネを介在させて取り付けたことを特徴とする手術台用万能固定金具。
2007074532.tif 000002
【特許請求の範囲】
【請求項１】
取付部を有し傾斜部を形成した第１取付脚と取付部を有し傾斜部を形成した第２取付脚とを、中央に螺合孔を穿設した平坦部に連設した基礎部材と、中央にＶ字溝を形成するとともに前記Ｖ字溝にＬ字型溝を連設した連結部の一端に第１挟着部を連設するとともに他端には第２挟着部を連設した上挟着部材と、中央にＶ字溝を形成するとともに前記Ｖ字溝にＬ字型溝を連設した連結部の一端に第３挟着部を連設するとともに他端に第４挟着部を連設した下挟着部材と、一端に筒状の頭部を設けた螺合軸の前記頭部に、両端に球体状のストッパーを設けたハンドルを前記頭部の挿通孔に緩挿させた締結部からなり、前記基礎部材に前記上挟着部材及び下挟着部材を連結する際には、前記第１挟着部と前記取付部間、前記第２挟着部と前記取付部間、前記第３挟着部と前記取付部間及び前記第４挟着部と前記取付部間にコイルバネを介在させて取り付けたことを特徴とする手術台用万能固定金具。
【請求項２】
螺合軸の先端に押圧部材を取り付けたことを特徴とする請求項１に記載の手術台用万能固定金具。
【発明の詳細な説明】
【技術分野】  本発明は、部材や器具等を手術台周りのアクセサリー取付用レールの任意の場所に取り付ける際に使用する手術台用の固定金具に関する発明である。
【背景技術】  従来の固定金具では、術中には清潔なシーツ等で患者および手術台を覆うため、シーツ等の上からの固定金具の取り付けが困難であった。その後、シーツ等の上から固定できるタイプの固定金具も開発されたが、固定金具とアクセサリー取付用レールへの固定と固定金具と固定する器具との固定が別々になっており、取り付けの時間を要し、更に固定金具とアクセサリー取付用レール及び固定する器具がしっかりと固定されず不安定であった。
また、米国特許５５３５９７３号に示すように、上下のアームと平板でアクセサリー取付用レールを挟み、ノブを締め付けることで左右アームと平板の距離を狭め、その圧力で一度に固定金具と固定する器具及びアクセサリー取付用レールとを固定する固定金具も開発されたが、取り付けの困難さは変わらず、またシーツ等の厚さによりアクセサリー取付用レールへの固定力が左右され、充分かつ安定した固定力を得るのが難しかった。
これらの理由から従来の固定金具は、手術台のアクセサリー取付用レールに器具を固定する固定金具としては安全性を欠くため適さず、医療従事者が安心して医療行為を施すことができなかった。
また、アクセサリー取付用レールの形状が異なる場合や、シーツ等を多用した場合にはしっかりと固定することは難しく、やはり安全性が要求される医療機器としては不向きであった。
そこで、本発明は、容易に取り付け取り外しができ、シーツ等の有無にかかわらず一度の締め付けで固定金具と固定する器具及びアクセサリー取付用レールを同時にしっかり固定することができ、アクセサリー取付用レールの形状が異なっても変わらずにしっかりと固定し、さらに固定する器具の形状にかかわらず固定することができる手術台用万能固定金具を提供することを目的とするものである。
【発明の開示】
本発明は、上記の課題を解決するために、取付部２ｄを有し傾斜部２ｈを形成した第１取付脚２ｂと取付部２ｅを有し傾斜部２ｉを形成した第２取付脚２ｃとを、中央に螺合孔２ｋを穿設した平坦部２ａに連設した基礎部材２と、中央にＶ字溝３ｋを形成するとともに前記Ｖ字溝３ｋにＬ字型溝３ｄを連設した連結部３ａの一端に第１挟着部３ｂを連設するとともに他端には第２挟着部３ｃを連設した上挟着部材３と、中央にＶ字溝４ｋを形成するとともに前記Ｖ字溝４ｋにＬ字型溝４ｄを連設した連結部４ａの一端に第３挟着部４ｂを連設するとともに他端に第４挟着部４ｃを連設した下挟着部材４と、一端に押圧部材５ｅを取り付けるとともに他端に筒状の頭部５ａを設けた螺合軸５ｂの前記頭部５ａに、両端に球体状のストッパー５ｄを設けたハンドル５ｃを前記頭部５ａの挿通孔５ｆに緩挿させた締結部５からなり、前記基礎部材２に前記上挟着部材３及び下挟着部材４を連結する際には、前記第１挟着部３ｂと前記取付部２ｄ間、前記第２挟着部３ｃと前記取付部２ｅ間、前記第３挟着部４ｂと前記取付部２ｄ間及び前記第４挟着部４ｃと前記取付部２ｅ間にコイルバネを介在させて取り付けたことと、前記基礎部材２に前記締結部５を連結する際には、前記螺合孔２ｋに螺合軸５ｂを取り付けたことを特徴とする手術台用万能固定金具１である。
【図面の簡単な説明】  図１は本発明である手術台用万能固定金具の斜視図、図２は本発明である手術台用万能固定金具の正面図、図３は本発明である手術台用万能固定金具の平面図、図４は本発明である手術台用万能固定金具の左側面、図５は本発明である手術台用万能固定金具の右側面図、図６は本発明である手術台用万能固定金具の基礎部材の正面図、図７は本発明である手術台用万能固定金具の基礎部材の平面図、図８は本発明である手術台用万能固定金具の基礎部材の左側面図、図９は本発明である手術台用万能固定金具の上下挟着部材の正面図、図１０は本発明である手術台用万能固定金具の上挟着部材及び下挟着部材の平面図、図１１は本発明である手術台用万能固定金具の上挟着部材及び下挟着部材の左側面図、図１２は本発明である手術台用万能固定金具の上挟着部材及び下挟着部材の右側面図、図１３は本発明である手術台用万能固定金具の使用状態を示した図である。
【発明を実施するための最良の形態】  以下に、添付図面に基づき、本発明である手術台用固定金具について詳細に説明する。
本発明である手術台用万能固定金具１の斜視図を図１に、正面図を図２に、平面図を図３に、左側面図を図４に、右側面図を図５に示す。図１から図５に示すように、本発明である手術台用万能固定金具１は、基礎部材２と上挟着部材３と下挟着部材４と締付部５とからなる。基礎部材２は、平坦部２ａと平坦部２ａに直角に連設した第１取付脚２ｂ及び平坦部２ａに直角に連設した第２取付脚２ｃからなる。上挟着部材３は、連結部３ａと連結部３ａの一端に形成された第１挟着部３ｂと連結部３ａの他端に形成された第２挟着部３ｃとからなる。
下挟着部材４は、連結部４ａと連結部４ａの一端に形成された第３挟着部４ｂと連結部４ａの他端に形成された第４挟着部４ｃとからなる。締付部５は、先端に押圧部材５ｅを取り付けた螺合軸５ｂとその片側にある頭部５ａを主としており、頭部５ａに穿設した貫通孔に通しているハンドル５ｃとその両端に設けた球体状のストッパー５ｄを設けたハンドル５ｃとからなる。
図１に示すように、略直方体形状の基礎部材２の平坦部２ａの中央に螺合孔２ｋが穿設されている。この螺合孔２ｋに螺合軸５ｂが螺合されている。
基礎部材２の平坦部２ａに直角に連設されている第１取付脚２ｂの中央部には長方形状の貫通孔２ｆが穿設されている。
そして、平坦部２ａに直角に連設されている第２取付脚２ｃの中央部にも長方形状の貫通孔２ｆが穿設されている。
図３に示すように、上挟着部材３の第１挟着部３ｂと第２挟着部３ｃを連結する連結部３ａにおいて、基礎部材２の平坦部２ａ寄りに、Ｌ字型溝３ｄが第一挟着部３ｂ側と第２挟着部３ｃ側にそれぞれ形成されているとともに、両側のＬ字型溝３ｄの間にはＶ字溝３ｋが形成されている。連結部３ａの一端に第１挟着部３ｂが連結部３ａに対して直角に連設され、連結部３ａの他端には第２挟着部３ｃが連結部３ａに対して直角に連設されている。また、第１挟着部３ｂと第２挟着部３ｃは、同形同大である。
図４及び図５に示すように、下挟着部材４は、Ｌ字型溝４ｄを形成した連結部４ａと、連結部４ａの一端に直角に連設した第３挟着部４ｂと、連結部４ａの他端に直角に連設した第４挟着部４ｃとからなる。下挟着部材４の第３挟着部４ｂと第４挟着部４ｃを連結する連結部４ａの基礎部材２の平坦部２ａ寄りに、Ｌ字型溝４ｄが第３挟着部４ｂ側と第４挟着部４ｃ側にそれぞれ形成されているとともに、両側のＬ字型溝４ｄの間にはＶ字溝４ｋが形成されている。符号３ｆ、３ｇ、４ｆ、４ｇは、第１挟着部３ｂ、第２挟着部３ｃ、第３挟着部４ｂ及び第４挟着部４ｃの内方に突出する突出部である。
連結部４ａの一端に第３挟着部４ｂが連結部４ａに対して直角に連設され、連結部４ａの他端には第４挟着部４ｃが蓮結部４ａに対して直角に連設されている。第３挟着部４ｂと第４挟着部４ｃは、同形同大である。また、上挟着部材３と下挟着部材４とは同形同大である。次に、各部材間の連結状態を示す前に、図６から図１２を使用して各部材の詳細を説明することとする。本発明である手術台用万能固定金具を構成する基礎部材２の正面図を図６に、基礎部材２の平面図を図７に、基礎部材２の左側面図を図８に示す。
図６から図８に示すように、基礎部材２は、本願発明である手術台用万能固定金具１の基礎となる部材である。図６に示すように、基礎部材２の平坦部２ａの両端に第１取付脚２ｂ及び第２取付脚２ｃが、それぞれ直角に連設されていて、これらの中央部に貫通孔２ｆ及び貫通孔２ｇが形成されている。
図７に示すように、第１取付脚２ｂ及び第２取付脚２ｃの中程には傾斜部２ｈ、２ｉが設けられており、傾斜部２ｈ、２ｉより左方に連設されている取付部２ｄ、取付部２ｅの肉厚の厚みは右方と比べて半分程度で形成されている。
傾斜部２ｈ、２ｉは、取付部２ｄ及び取付部２ｅの外面側に設けられているので、第１取付脚２ｂ、第２取付脚２ｃの内壁面は平坦面に形成されている。
図６及び図７に示すように、第１取付脚２ｂの取付部２ｄ及び第２取付脚２ｃの取付部２ｅの上部と下部にそれぞれ取付孔２ｌ、ピン挿入孔２ｍが穿設されている。計４個あるピン挿入孔２ｍは径の小さい孔であり、計４個ある取付孔２ｌは径の大きい孔である。
図６から図８に示すように、第１取付脚２ｂ及び第２取付脚２ｃに形成されている傾斜部２ｈ、傾斜部２ｉはそれぞれ２箇所あり、図６で示している取付部２ｄ、取付部２ｅの面の中心方向に向かって傾斜している。
図９から図１２に示すように、上挟着部材３、下挟着部材４は同形同大である。従って、以下には上挟着部材３を中心に説明し、次に下挟着部材４について説明する。
上挟着部材３は、図１０で説明すると、連結部３ａと、連結部３ａの一端に連設した第１挟着部３ｂと、連結部３ａの他端に連設した第２挟着部３ｃとからなる。
図９に示すように、第１挟着部３ｂの左先端は略鳥の嘴状の形状をしていて、左斜め上方には先端３ｑ方向にかけて大きく湾曲する上湾曲部３１が形成され、上湾曲部３ｌの右方向には上湾曲部３ｌから連続して傾斜部３ｍが形成され、傾斜部３ｍの右方には傾斜部３ｍに連続して上平坦部３ｎが形成されている。
また、第１挟着部３ｂの先端３ｑの右方にはＵ字溝３ｈを設け、Ｕ字溝３ｈの右方に連続して下平坦部３ｐを形成している。下平坦部３ｐの右方には連続して下湾曲部３ｏを形成する。Ｕ字溝３ｈの右方には連結孔３ｉが穿設しているとともに、上湾曲部３ｌの近くにはピン挿入孔３ｊが穿設している。
上挟着部材３は、連結部３ａ、第１挟着部３ｂ、及び第２挟着部３ｃが、それぞれ別部材ではなく、一体成型された構造である。
図１０に示すように、両端に連設した第１挟着部３ｂと第２挟着部３ｃを連設した連結部３ａの左方には長方形状の凹部３ｅが形成されている。
連結部３ａの右方には、角型の取付棒１０が揺動することがないように堅牢に固定することができるよう対向する位置の２カ所にＬ字型溝３ｄが形成されている。そして、２カ所のＬ字型溝３ｄとＬ字型溝３ｄ間には、円筒状の部材を固定するためにＶ字溝３ｋが形成されている。
上挟着部材３及び下挟着部材４は、ともに略Ｈ型の形状をしている。
図１１及び図１２に示すように、上挟着部材３の左右側面は、略コの字状の形状をしている。
下挟着部材４は、図９〜図１２に示すように、連結部４ａと、連結部４ａの右端に連設した第３挟着部４ｂと、連結部４ａの左端に連設した第４挟着部４ｃとからなる。
図９に示すように、第３挟着部４ｂは、略鳥の嘴状の形状をしていて、左斜め上方には先端４ｑ方向にかけて大きく湾曲する上湾曲部４ｌが形成され、上湾曲部４ｌの右方向には上湾曲部４ｌから連続して傾斜部４ｍが形成され、傾斜部４ｍの右方には傾斜部４ｍに連続して上平坦部４ｎが形成されている。
また、第３挟着部４ｂの先端４ｑの右方にはＵ字溝４ｈを設け、Ｕ字溝４ｈの右方に連続して下平坦部４ｐを形成している。下平坦部４ｐの右方には連続して下湾曲部４ｏを形成する。Ｕ字溝４ｈの右方には連結孔４ｉを穿設しているとともに、上湾曲部４ｌの近くにはピン挿入孔４ｊが穿設している。
下挟着部材４は、連結部４ａ、第３挟着部４ｂ、及び第４挟着部４ｃが、それぞれ別部材ではなく、一体成型された構造である。
図１０に示すように、両端に連設した第３挟着部４ｂと第４挟着部４ｃを連設した連結部４ａの左方には長方形状の凹部４ｅが形成してある。
連結部４ａの右方には、角型の取付棒１０が揺動することがないように堅牢に固定することができるよう対向する位置の２カ所にＬ字型溝４ｄが形成されている。そして、２カ所のＬ字型溝４ｄとＬ字型溝４ｄ間には、円筒状の部材を固定するためにＶ字溝４ｋが形成されている。
上挟着部材３及び下挟着部材４は、ともに略Ｈ型の形状をしている。
以下に、基礎部材２、上挟着部材３、下挟着部材４及び締付部５がどのように連結組み合わせて本発明である手術台用万能固定金具１となるかを説明する。
図１から図５に示すように、基礎部材２の平坦部２ａの中央に穿設された螺合孔２ｋに、先端に押圧部材５ｅを取り付けた螺合軸５ｂが螺合する。
螺合軸５ｂは、オスネジ形状となっている。また、螺合孔２ｋの内壁面にも螺合軸５ｂのオスネジに噛合するメスネジが形成されている。
押圧部材５ｅは、螺合軸５ｂの先端に取り付けなくてもよい。また、押圧部材５ｅの素材・形状は特に限定するものではない。必要に応じて材質・形状を変えた押圧部材５ｅとしても良い。
螺合軸５ｂに取り付けてある頭部５ａには挿通孔５ｆが穿設されている。挿通孔５ｆには、両端に球体状のストッパー５ｄを取り付けたハンドル５ｃが、一方向にスライドできるように緩挿してある。ストッパー５ｄが、ハンドル５ｃの両端に取り付けられているので、頭部５ａの挿通孔５ｆから抜け落ちることがない。
図２に示すように、上挟着部材３と下挟着部材４は、基礎部材２の第１取付脚２ｂ及び第２取付脚２ｃに４個の留め具７により回動可能に取り付けてある。
即ち、上挟着部材３は、第１取付脚２ｂの取付部２ｄ、取付部２ｅに設けた取付孔２ｌ（図６参照）と第１挟着部３ｂの連結孔３ｉ（図９参照）に留め具７を用いて、基礎部材２に回動可能に連結する。
下挟着部材４も同様に、第２取付脚２ｃの取付部２ｄ、取付部２ｅに設けた取付孔２ｌ（図７参照）と第３挟着部４ｂの連結孔４ｉ（図９参照）に留め具７を用いて、基礎部材２に回動可能に連結する。
上挟着部材３の第１挟着部３ｂと第１取付脚２ｂの取付部２ｄを留め具７で連結する際、コイルバネ６に留め具７を差し込み、第１挟着部３ｂと第１取付脚２ｂの取付部２ｄ間にコイルバネ６を配置する。
コイルバネ６の一端は第１取付脚２ｂに形成された傾斜部２ｈに係止し、コイルバネ６の他端は第１挟着部３ｂのピン挿入孔３ｊに取り付けられたバネ用ストッパー９に係止される。
また、第１挟着部３ｂは、第１取付脚２ｂの取付部２ｄに穿設されているピン挿入孔２ｍに取り付けられているピン８で回動範囲を制限されている。
図２に示すように、上挟着部材３を留め具７を軸として時計回り方向に回動させると、ピン挿入孔３ｊに挿入されているバネ用ストッパー９と傾斜部２ｈが近づき、コイルバネの両端も近づくので、コイルバネ６は元の状態に戻ろうとする復元力により上挟着部材３に反時計方向のトルクが生じる。上挟着部材３の第２挟着部３ｃと第２取付脚２ｃの取付部２ｅを留め具７で連結する際も、コイルバネ６に留め具７を差し込み、第２挟着部３ｃと第２取付脚２ｃの取付部２ｅ間にコイルバネ６を配置する。
コイルバネ６の一端は第２取付脚２ｃに形成されている傾斜部２ｉに係止し、コイルバネ６の他端は第２挟着部３ｃのピン挿入孔３ｊに取り付けられたバネ用ストッパー９に係止される。
このとき、第２挟着部３ｃは、第２取付脚２ｃの取付部２ｅに設けたピン挿入孔２ｍに挿入されたピン８により回動が抑制されている。
図１〜図７に示すように、下挟着部材４の第３挟着部４ｂと第２取付脚２ｃの取付部２ｅを留め具７で連結する際、コイルバネ６に留め具７を差し込み、第３挟着部４ｂと第２取付脚２ｃの取付部２ｅ間にコイルバネ６を配置する。
コイルバネ６の一端は第２取付脚２ｃに形成されている傾斜部２ｉに係止し、コイルバネ６の他端は第３挟着部４ｂのピン挿入孔４ｊに取り付けられたバネ用ストッパー９に係止されている。
また、第３挟着部４ｂのＵ字溝４ｈは、第２取付脚２ｃの取付部２ｄにピンに穿設されているピン挿入孔２ｍに取り付けられているピン８で回動範囲を制限されている。
下挟着部材４の第４挟着部４ｃと取付脚２ｄを留め具７で連結する際、コイルバネ６に留め具７を差し込み、第４挟着部４ｃと取付部２ｄの間にコイルバネ６を配置する。
コイルバネ６の一端は第２取付脚２ｂの取付部２ｄに形成されている傾斜部２ｈに係止され、コイルバネ６の他端は第４挟着部４ｃのピン挿入孔４ｊに挿入されているバネ用ストッパー９に係止されている。
第４挟着部４ｃのＵ字溝４ｈは、第１取付脚２ｂの取付部２ｄに穿設されているピン挿入孔２ｍに挿入されているピン８で回動範囲を制限されている。
そのため、図２に示したように、下挟着部材４を留め具７を軸として反時計方向に回動させると、ピン挿入孔４ｊに挿入されているバネ用ストッパー９と傾斜部２ｈが近づき、コイルバネ６の両端も近づくので、コイルバネ６は元の状態に戻ろうとする復元力により下挟着部材４に時計方向のトルクが生じる。
このように、上挟着部材３と下挟着部材４を基礎部材２に連結する際に、コイルバネ６を配置したことにより上挟着部材３及び下挟着部材４に挟着力が生まれ、手術台用万能固定金具１をアクセサリー取付用レール１１ｂにしっかりと挟着させ取り付けることができる。
本発明では、上挟着部材３の第１挟着部３ｂ、第２挟着部３ｃと第１取付脚２ｂの取付部２ｄ、第２取付脚２ｃの取付部２ｅを連結する際にコイルバネ６を各一つずつ計２個使用している。
また、下挟着部材４の第３挟着部４ｂ、第４挟着部４ｃと第１取付脚２ｂの取付部２ｄ、第２取付脚２ｃの取付部２ｅを連結する際にコイルバネ６を各一つずつ計２個使用している。
これらのコイルバネ６は、第１挟着部３ｂ又は第２挟着部３ｃのどちらか一方の連結に使用してもよい。
また、下挟着部材４の第３挟着部４ｂ、第４挟着部４ｃとを連結する際に配置使用しているコイルバネ６は、第３挟着部４ｂ又は第４挟着部４ｃの両方もしくはどちらか一方だけに配置使用しても良い。
即ち、上挟着部材３の第１挟着部３ｂ、第２挟着部３ｃ、下挟着部材４の第３挟着部４ｂ及び第４挟着部４ｃと第１取付脚２ｂ、第２取付脚２ｃを連結する際に４つのコイルバネ６を使用しても良く、上挟着部材３側に一つのコイルバネ６を使用し、下挟着部材４側に一つのコイルバネ６を使用して合計２つのコイルバネ６を配置使用しても良い。
図１３は、本発明である手術台用万能固定金具の使用状態を示した図である。手術台１１に取り付ける際には、まず手術台側面１１ａに平行して備えられているアクセサリー取付用レール１１ｂに本発明である手術台用万能固定金具１を取り付ける。取り付ける際は、手術台用万能固定金具１の上挟着部材３、下挟着部材４のＵ字溝３ｈ、４ｈを外側に開き、アクセサリー取付用レール１１ｂを挟んで取り付ける。このとき、バネ用ストッパー９が発生させるトルクにより手術台用万能固定金具１に与えた外力を取り除いてもアクセサリー取付用レール１１ｂから落下せずに固定される。
次に、基礎部材２の空間２ｊに取り付けたい部材を挿入する。挿入する部材は、板状でも丸棒状でも構わないが、図１３では一例として角板状の取付棒１０を示し、以下の文でも取付棒１０で説明する。取付棒１０の側面を連結部３ａ、４ａに形成されているＬ字型溝３ｄ、４ｄ又はＬ字型溝３ｄ、４ｄの内方に形成されているＶ字溝３ｋ、４ｋに合わせ、締付部５を回転させて固定部材方向に螺合軸５ｂを押し込んで、締め付ける。
それにより取付棒１０が上挟着部材３，下挟着部材４を押すこととなり、留め具７を中心として上挟着部材３，下挟着部材４がアクセサリー取付用レール１１ｂを締め付ける方向に回旋するトルクが生じる。
このように、手術台１１に取り付ける部材の取付棒１０は、手術台用万能固定金具１によって強固にアクセサリー取付用レール１１ｂに固定される。
図１３の使用状態の例では、手術台１１に取り付ける器具を体幹固定用パッド１０ｄとした。体幹固定用パッド１０ｄは連結部材１０ｂにより連結部１０ａに連結されており、連結部１０ａを取付棒１０の上端に取り付け、調節部１０ｃにより固定されている。
締付部５の締め付けは、基礎部材２に取り付ける器具を固定すると同時に、上挟着部材３、下挟着部材４の挟着力を上げている。
手術台用能固定金具１は、手術台１１のアクセサリー取付用レール１１ｂに強固に固定することができ、且つ手術台用万能固定金具１に取り付ける器具も同時に堅牢に固定することができる。
【産業上の利用可能性】  本発明である手術台用万能固定金具１は、以下の効果が得られる。
第１に、手術台用万能固定金具の一度の締め付けにより手術台用万能固定金具とアクセサリー取付用レールとの固定と、手術台用万能固定金具と固定する器具との固定を同時にできるため、取り付けが容易で、取り付けに時間がかからず、且つ強力に固定することができる。
第２に、固定する器具の連結部の形状や状態が異なっている場合でも、角材又は丸棒などの形状にも固定金具を変えずに対応することができるため、固定する器具の変更などのあらゆる状況で使用することができ、特に安全性を必要とし様々な器具を使用する医療現場では効果が発揮できる。
第３に、従来ではヨーロッパと日本などのように手術台のアクセサリー取付用レールの形状が違う場合には別々の固定金具を使用しなければならなかったが、本発明ではレールの形状を問わないためレールの形状が異なっても使用することができる。
第４に、手術台上の患者は滅菌した清潔なシーツで覆われており、通常このシーツの下に固定する器具を設置するか、シーツに接触しないように固定する器具を設置しているが、固定金具は高圧蒸気滅菌することができ且つレールの形状を問わないため、このシーツをレールに被せて通常よりレールが厚くなった状態であっても固定金具を取り付けることができる。
【図１】
2007074532.tif 000003
【図２】
2007074532.tif 000004
【図３】
2007074532.tif 000005
【図４】
2007074532.tif 000006
【図５】
2007074532.tif 000007
【図６】
2007074532.tif 000008
【図７】
2007074532.tif 000009
【図８】
2007074532.tif 000010
【図９】
2007074532.tif 000011
【図１０】
2007074532.tif 000012
【図１１】
2007074532.tif 000013
【図１２】
2007074532.tif 000014
【図１３】
2007074532.tif 000015
【国際調査報告】
2007074532.tif 000016
2007074532.tif 000017
2007074532.tif 000018